(57)【要約】  ワイヤレス通信のための方法、システム、およびデバイスが説明される。送信デバイスは、マルチプルな同時ハイブリッド自動再送要求（ＨＡＲＱ）プロセスに対応するマルチプルなトランスポートブロックを含む信号を送り得る。追加の制御情報は、マルチプルな同時ＨＡＲＱプロセスをサポートするために使用され得る。例えば、追加の制御情報は、利用可能なＨＡＲＱプロセスの数、各ＨＡＲＱプロセスに関するアクティビティ状態（例えば、アクティブな新データ、アクティブな再送信、または非アクティブ）、および各ＨＡＲＱプロセスの冗長バージョンを指示し得る。いくつかの場合では、追加の制御情報は、ダウンリンク・グラントに含まれ得る。受信デバイスは、トランスポートブロックの各々に対して肯定応答または否定応答（ＡＣＨ／ＮＡＣＫ）で応答し得る。送信デバイスは、ＡＣＫ／ＮＡＣＫに基づいて各ＨＡＲＱプロセスに関する再送信状態を識別し、受信デバイスに新しい冗長バージョン（または新しいデータ）を送信し得る。【選択図】図３
2018510549.tif 000002
【特許請求の範囲】
【請求項１】
ワイヤレス・デバイスにおける通信の方法であって、
複数のハイブリッド自動再送要求（ＨＡＲＱ）プロセスの各々に関する状態を識別することと、
前記複数のＨＡＲＱプロセスの各々に関する前記状態の指示を備える制御メッセージを送信することと、
前記制御メッセージに少なくとも部分的に基づいて前記複数のＨＡＲＱプロセスに対応する複数のトランスポートブロックを備えるデータ信号を送信することと、
を備える、方法。
【請求項２】
前記複数のトランスポートブロックのうちの１つのトランスポートブロックに関する否定応答（ＮＡＣＫ）を受信することと、
前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
をさらに備える、請求項１に記載の方法。
【請求項３】
前記再送信状態に少なくとも部分的に基づいて第２の制御メッセージを送信することと、
前記第２の制御メッセージに少なくとも部分的に基づいて前記複数のＨＡＲＱプロセスに対応する第２の複数のトランスポートブロックを備える第２のデータ信号を送信することと、
をさらに備える、請求項２に記載の方法。
【請求項４】
前記複数のＨＡＲＱプロセスの各々に関する前記状態は、新データ指示、再送信指示、または非アクティブ指示を備える、請求項１に記載の方法。
【請求項５】
前記複数のＨＡＲＱプロセスのうちの少なくとも１つに関する前記状態は、冗長バージョンを備える、請求項１に記載の方法。
【請求項６】
前記制御メッセージは、前記複数のトランスポートブロックに関するリソース・グラントを備える、請求項１に記載の方法。
【請求項７】
前記複数のトランスポートブロックの各々は、同じ変調および符号化スキーム（ＭＣＳ）を使用する、請求項１に記載の方法。
【請求項８】
再送信されたデータに関連付けされた前記複数のＨＡＲＱプロセスのサブセットに関するリソースの第１のセットを識別すること
をさらに備える、請求項１に記載の方法。
【請求項９】
新しいデータを含む第２の複数のトランスポートブロックの間で前記データ信号に関するリソースの第２のセットを均等に分割すること
をさらに備える、請求項８に記載の方法。
【請求項１０】
ワイヤレス・デバイスにおける通信の方法であって、
複数のＨＡＲＱプロセスの各々に関する状態の指示を備える制御メッセージを受信することと、
前記制御メッセージに少なくとも部分的に基づいて前記複数のＨＡＲＱプロセスに対応する複数のトランスポートブロックを備えるデータ信号を受信することと、
を備える、方法。
【請求項１１】
前記複数のトランスポートブロックのうちの１つのトランスポートブロックに関するＮＡＣＫを送信すること
をさらに備える、請求項１０に記載の方法。
【請求項１２】
第２の制御メッセージを受信することと、
前記第２の制御メッセージに少なくとも部分的に基づいて前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
前記第２の制御メッセージに少なくとも部分的に基づいて前記複数のＨＡＲＱプロセスに対応する第２の複数のトランスポートブロックを備える第２のデータ信号を受信することと、
をさらに備える、請求項１１に記載の方法。
【請求項１３】
前記複数のＨＡＲＱプロセスの各々に関する前記状態は、新データ指示、再送信指示、または非アクティブ指示を備える、請求項１０に記載の方法。
【請求項１４】
前記複数のＨＡＲＱプロセスのうちの少なくとも１つに関する前記状態は、冗長バージョンを備える、請求項１０に記載の方法。
【請求項１５】
前記複数のトランスポートブロックの各々は、同じＭＣＳを使用する、請求項１０に記載の方法。
【請求項１６】
ワイヤレス・デバイスにおける通信のための装置であって、
複数のハイブリッド自動再送要求（ＨＡＲＱ）プロセスの各々に関する状態を識別するための手段と、
前記複数のＨＡＲＱプロセスの各々に関する前記状態の指示を備える制御メッセージを送信するための手段と、
前記制御メッセージに少なくとも部分的に基づいて前記複数のＨＡＲＱプロセスに対応する複数のトランスポートブロックを備えるデータ信号を送信するための手段と、
を備える、装置。
【請求項１７】
前記複数のトランスポートブロックのうちの１つのトランスポートブロックに関する否定応答（ＮＡＣＫ）を受信するための手段と、
前記トランスポートブロックに対応する前記複数のＨＡＲＱプロセスのうちの１つのＨＡＲＱプロセスに関する再送信状態を識別するための手段と、ここにおいて、前記再送信状態は、再送信指示および冗長バージョンを備える、
をさらに備える、請求項１６に記載の装置。
【請求項１８】
前記再送信状態に少なくとも部分的に基づいて第２の制御メッセージを送信するための手段と、
前記第２の制御メッセージに少なくとも部分的に基づいて前記複数のＨＡＲＱプロセスに対応する第２の複数のトランスポートブロックを備える第２のデータ信号を送信するための手段と、
をさらに備える、請求項１７に記載の装置。
【請求項１９】
前記複数のＨＡＲＱプロセスの各々に関する前記状態は、新データ指示、再送信指示、または非アクティブ指示を備える、請求項１６に記載の装置。
【請求項２０】
前記複数のＨＡＲＱプロセスのうちの少なくとも１つに関する前記状態は、冗長バージョンを備える、請求項１６に記載の装置。
【請求項２１】
前記制御メッセージは、前記複数のトランスポートブロックに関するリソース・グラントを備える、請求項１６に記載の装置。
【請求項２２】
前記複数のトランスポートブロックの各々は、同じ変調および符号化スキーム（ＭＣＳ）を使用する、請求項１６に記載の装置。
【請求項２３】
再送信されたデータに関連付けされた前記複数のＨＡＲＱプロセスのサブセットに関するリソースの第１のセットを識別するための手段
をさらに備える、請求項１６に記載の装置。
【請求項２４】
新しいデータを含む第２の複数のトランスポートブロックの間で前記データ信号に関するリソースの第２のセットを均等に分割すること
をさらに備える、請求項２３に記載の装置。
【請求項２５】
ワイヤレス・デバイスにおける通信のための装置であって、
複数のＨＡＲＱプロセスの各々に関する状態の指示を備える制御メッセージを受信するための手段と、
前記制御メッセージに少なくとも部分的に基づいて前記複数のＨＡＲＱプロセスに対応する複数のトランスポートブロックを備えるデータ信号を受信するための手段と、
を備える、装置。
【請求項２６】
前記複数のトランスポートブロックのうちの１つのトランスポートブロックに関するＮＡＣＫを送信するための手段
をさらに備える、請求項２５に記載の装置。
【請求項２７】
第２の制御メッセージを受信するための手段と、
前記第２の制御メッセージに少なくとも部分的に基づいて前記トランスポートブロックに対応する前記複数のＨＡＲＱプロセスのうちの１つのＨＡＲＱプロセスに関する再送信状態を識別するための手段と、ここにおいて、前記再送信状態は、再送信指示および冗長バージョンを備える、
前記第２の制御メッセージに少なくとも部分的に基づいて前記複数のＨＡＲＱプロセスに対応する第２の複数のトランスポートブロックを備える第２のデータ信号を受信するための手段と、
をさらに備える、請求項２６に記載の装置。
【請求項２８】
前記複数のＨＡＲＱプロセスの各々に関する前記状態は、新データ指示、再送信指示、または非アクティブ指示を備える、請求項２５に記載の装置。
【請求項２９】
前記複数のＨＡＲＱプロセスのうちの少なくとも１つに関する前記状態は、冗長バージョンを備える、請求項２５に記載の装置。
【請求項３０】
前記複数のトランスポートブロックの各々は、同じＭＣＳを使用する、請求項２５に記載の装置。  
【発明の詳細な説明】
【関連出願の相互参照】
【０００１】
[0001]  本願は、２０１６年２月１日に出願された「Ｍｕｌｔｉｐｌｅ  Ｔｒｉ−Ｓｔａｔｅ  ＨＡＲＱ  Ｐｒｏｃｅｓｓｅｓ」と題する、Ｍａｌｌｉｋ他による米国特許出願第１５／０１２，５４１号、および２０１５年２月１１日に出願された「Ｍｕｌｔｉｐｌｅ  Ｔｒｉ−Ｓｔａｔｅ  ＨＡＲＱ  Ｐｒｏｃｅｓｓｅｓ」と題する、Ｍａｌｌｉｋ他による米国仮特許出願第６２／１１４，９７４号の優先権を主張し、これらの各々は、本譲受人に譲渡されている。
【技術分野】
【０００２】
[0002]  下記は、概してワイヤレス通信に関し、より具体的には、マルチプルなトライステート（tri-state）ハイブリッド自動再送要求（ＨＡＲＱ：hybrid automatic repeat request）プロセスに関する。
【背景技術】
【０００３】
[0003]  ワイヤレス通信システムは、音声、ビデオ、パケット・データ、メッセージング、ブロードキャストなどのような、さまざまなタイプの通信コンテンツを提供するように広く展開されている。これらのシステムは、利用可能なシステム・リソース（例えば、時間、周波数、および電力）を共有することによって複数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロング・ターム・エボリューション（ＬＴＥ（登録商標））システム）を含む。
【０００４】
[0004]  例として、ワイヤレス多元接続通信システムは、複数の基地局を含み得、各々が、複数の通信デバイスのための通信を同時にサポートし、それらは別名ユーザ機器（ＵＥ）として知られ得る。基地局は、（例えば、基地局からＵＥへの送信のための）ダウンリンク・チャネル、および（例えば、ＵＥから基地局への送信のための）アップリンク・チャネル上で通信デバイスと通信し得る。
【０００５】
[0005]  ワイヤレス・デバイスは、通信リンクの信頼性を増すためにハイブリッド自動再送要求（ＨＡＲＱ）スキームを使用し得る。したがって、送信デバイスは、受信デバイスにトランスポートブロックを送り得、それは、トランスポートブロック全体が正しく受信されたかどうかに応じて肯定応答（ＡＣＫ）または否定ＡＣＫ（ＮＡＣＫ）（すなわちＡＣＫ／ＮＡＣＫ）で応答し得る。ＮＡＣＫを受信すると、送信デバイスは、正しく受信された情報を含めて、完全なトランスポートブロックを再送信し得る。このことは、新しい情報の次のブロックを送る際に遅延をもたらし、その結果、通信リンクのスループットを減じ得る。
【発明の概要】
【０００６】
[0006]  マルチプルなトライステート・ハイブリッド自動再送要求（ＨＡＲＱ）プロセスに関わるシステム、方法、および装置が説明される。送信デバイスは、マルチプルな同時（simultaneous）ＨＡＲＱプロセスに対応するマルチプルなトランスポートブロックを含む信号を送り得る。追加の制御情報は、マルチプルな同時ＨＡＲＱプロセスをサポートするために使用され得る。例えば、追加の制御情報は、利用可能なＨＡＲＱプロセスの数、各ＨＡＲＱプロセスに関するアクティビティ状態（例えば、アクティブな新データ（active new data）、アクティブな再送信（active retransmission）、非アクティブ（inactive））、および各ＨＡＲＱプロセスの冗長バージョンを指示し得る。いくつかの場合では、追加の制御情報は、ダウンリンク・グラントに含まれ得る。そして受信デバイスは、トランスポートブロックの各々に対して肯定応答または否定応答（ＡＣＫ／ＮＡＣＫ）で応答し得る。そして送信デバイスは、ＡＣＫ／ＮＡＣＫに基づいて各ＨＡＲＱプロセスに関する再送信状態を識別し、受信デバイスに新しい冗長バージョン（または新しいデータ）を送信し得る。
【０００７】
[0007]  ワイヤレス・デバイスにおける通信の方法が説明される。この方法は、複数のＨＡＲＱプロセスの各々に関する状態を識別することと、複数のＨＡＲＱプロセスの各々に関する状態の指示を含む制御メッセージを送信することと、制御メッセージに少なくとも部分的に基づいて複数のＨＡＲＱプロセスに対応する複数のトランスポートブロックを含むデータ信号を送信することとを含み得る。
【０００８】
[0008]  ワイヤレス・デバイスにおける通信のための装置が説明される。この装置は、複数のＨＡＲＱプロセスの各々に関する状態を識別するための手段と、複数のＨＡＲＱプロセスの各々に関する状態の指示を含む制御メッセージを送信するための手段と、制御メッセージに少なくとも部分的に基づいて複数のＨＡＲＱプロセスに対応する複数のトランスポートブロックを含むデータ信号を送信するための手段とを含み得る。
【０００９】
[0009]  ワイヤレス・デバイスにおける通信のためのさらなる装置が説明される。装置は、プロセッサ、プロセッサと電子通信状態にあるメモリ、およびメモリに記憶された命令を含み得る。この命令は、複数のＨＡＲＱプロセスの各々に関する状態を識別することと、複数のＨＡＲＱプロセスの各々に関する状態の指示を含む制御メッセージを送信することと、制御メッセージに少なくとも部分的に基づいて複数のＨＡＲＱプロセスに対応する複数のトランスポートブロックを含むデータ信号を送信することとを行うように、プロセッサによって実行可能であり得る。
【００１０】
[0010]  ワイヤレス・デバイスにおける通信のためのコードを記憶する非一時的コンピュータ可読媒体が説明される。このコードは、複数のＨＡＲＱプロセスの各々に関する状態を識別することと、複数のＨＡＲＱプロセスの各々に関する状態の指示を含む制御メッセージを送信することと、制御メッセージに少なくとも部分的に基づいて複数のＨＡＲＱプロセスに対応する複数のトランスポートブロックを含むデータ信号を送信することとを行うように実行可能である命令を含み得る。
【００１１】
[0011]  上述の方法、装置、または非一時的なコンピュータ可読媒体のいくつかの例は、複数のトランスポートブロックのうちの１つのトランスポートブロックに関するＮＡＣＫを受信することと、そのトランスポートブロックに対応する複数のＨＡＲＱプロセスのうちの１つのＨＡＲＱプロセスに関する再送信状態を識別することとを行うためのプロセス、特徴、手段または命令をさらに含み得、再送信状態は、再送信指示および冗長バージョンを含み得る。追加的にまたは代替的に、いくつかの例は、再送信状態に少なくとも部分的に基づいて第２の制御メッセージを送信することと、第２の制御メッセージに少なくとも部分的に基づいて複数のＨＡＲＱプロセスに対応する第２の複数のトランスポートブロックを含む第２のデータ信号を送信することとを行うためのプロセス、特徴、手段、または命令を含み得る。
【００１２】
[0012]  前述の方法、装置、または非一時的コンピュータ可読媒体のいくつかの例では、複数のＨＡＲＱプロセスの各々に関する状態は、新データ指示（new data indication）、再送信指示（retransmission indication）、または非アクティブ指示（inactive indication）を含み得る。追加的にまたは代替的に、いくつかの例では、複数のＨＡＲＱプロセスのうちの少なくとも１つに関する状態は、冗長バージョンを備える。
【００１３】
[0013]  上述された方法、装置、または非一時的コンピュータ可読媒体のいくつかの例において、制御メッセージは、複数のトランスポートブロックに関するリソース・グラントを含み得る。追加的にまたは代替的に、いくつかの例では、複数のトランスポートブロックの各々は、同じ変調および符号化スキーム（ＭＣＳ：modulation and coding scheme）を使用する。
【００１４】
[0014]  上述された方法、装置、または非一時的コンピュータ可読媒体のいくつかの例は、再送信されたデータに関連する複数のＨＡＲＱプロセスのサブセットに関するリソースの第１のセットを識別するためのプロセス、特徴、手段、または命令をさらに含み得る。追加的にまたは代替的に、いくつかの例は、新しいデータを含む複数のトランスポートブロック間でデータ信号に関するリソースの第２のセットを均等に分割（partitioning）するためのプロセス、特徴、手段、または命令を含み得る。
【００１５】
[0015]  ワイヤレス・デバイスにおける通信のさらなる方法もまた、説明される。この方法は、複数のＨＡＲＱプロセスの各々に関する状態の指示を含む制御メッセージを受信することと、制御メッセージに少なくとも部分的に基づいて複数のＨＡＲＱプロセスに対応する複数のトランスポートブロックを含むデータ信号を受信することとを含み得る。
【００１６】
[0016]  ワイヤレス・デバイスにおける通信のためのさらなる装置もまた説明される。この装置は、複数のＨＡＲＱプロセスの各々に関する状態の指示を含む制御メッセージを受信するための手段と、制御メッセージに少なくとも部分的に基づいて複数のＨＡＲＱプロセスに対応する複数のトランスポートブロックを含むデータ信号を受信するための手段とを含み得る。
【００１７】
[0017]  ワイヤレス・デバイスにおける通信のためのさらなる装置もまた説明される。装置は、プロセッサ、プロセッサと電子通信状態にあるメモリ、およびメモリに記憶された命令を含み得る。この命令は、複数のＨＡＲＱプロセスの各々に関する状態の指示を含む制御メッセージを受信することと、制御メッセージに少なくとも部分的に基づいて複数のＨＡＲＱプロセスに対応する複数のトランスポートブロックを含むデータ信号を受信することとを行うように、プロセッサによって実行可能であり得る。
【００１８】
[0018]  ワイヤレス・デバイスにおける通信のためのコードを記憶する非一時的コンピュータ可読媒体が説明される。このコードは、複数のＨＡＲＱプロセスの各々に関する状態の指示を含む制御メッセージを受信することと、制御メッセージに少なくとも部分的に基づいて複数のＨＡＲＱプロセスに対応する複数のトランスポートブロックを含むデータ信号を受信することとを行うように実行可能である命令を含み得る。
【００１９】
[0019]  上述された方法、装置、または非一時的コンピュータ可読媒体のいくつかの例は、複数のトランスポートブロックのうちの１つのトランスポートブロックに関するＮＡＣＫを送信するためのプロセス、特徴、手段、または命令をさらに含み得る。追加的にまたは代替的に、いくつかの例は、第２の制御メッセージを受信することと、第２の制御メッセージに少なくとも部分的に基づいてトランスポートブロックに対応する複数のＨＡＲＱプロセスのうちの１つのＨＡＲＱプロセスに関する再送信状態を識別することと、ここで再送信状態は再送信指示および冗長バージョンを含み得る、第２の制御メッセージに少なくとも部分的に基づいて複数のＨＡＲＱプロセスに対応する第２の複数のトランスポートブロックを含む第２のデータ信号を受信することと、を行うためのプロセス、特徴、手段、または命令を含み得る。
【００２０】
[0020]  前述の方法、装置、または非一時的コンピュータ可読媒体のいくつかの例では、複数のＨＡＲＱプロセスの各々に関する状態は、新データ指示、再送信指示、または非アクティブ指示を備える。追加的にまたは代替的に、いくつかの例では、複数のＨＡＲＱプロセスのうちの少なくとも１つに関する状態は、冗長バージョンを備える。
【００２１】
[0021]  上述された方法、装置、または非一時的コンピュータ可読媒体のいくつかの例において、制御メッセージは、複数のトランスポートブロックに関するリソース・グラントを備える。追加的にまたは代替的に、いくつかの例では、複数のトランスポートブロックの各々は、同じＭＣＳを使用する。
【００２２】
[0022]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を実行するために、他の構造を修正または設計するための基礎として容易に利用され得る。このような等価な構成（construction）は、添付の特許請求の範囲から逸脱しない。本書に開示される概念の特性は、関連する利点とともに、それらの構成および動作の方法の両方に関して、添付の図に関連して検討された場合、以下の説明からより一層理解されるであろう。これらの図の各々は、例示および説明の目的のためだけに提供され、特許請求の範囲の限定の定義として提供されるものではない。
【００２３】
[0023]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００２４】
【図１】[0024]  図１は、本開示のさまざまな態様にしたがってマルチプルなトライステート・ハイブリッド自動再送要求（ＨＡＲＱ）プロセスに関するワイヤレス通信システムの例を例示する。
【図２】[0025]  図２は、本開示のさまざまな態様にしたがってマルチプルなトライステートＨＡＲＱプロセスに関するワイヤレス通信システムの例を例示する。
【図３】[0026]  図３は、本開示のさまざまな態様にしたがってマルチプルなトライステートＨＡＲＱプロセスに関する通信構造の例を例示する。
【図４】[0027]  図４は、本開示のさまざまな態様にしたがってマルチプルなトライステートＨＡＲＱプロセスに関するプロセス・フローの例を例示する。
【図５】[0028]  図５は、本開示のさまざまな態様にしたがってマルチプルなトライステートＨＡＲＱプロセスのために構成されているワイヤレス・デバイスのブロック図を示す。
【図６】図６は、本開示のさまざまな態様にしたがってマルチプルなトライステートＨＡＲＱプロセスのために構成されているワイヤレス・デバイスのブロック図を示す。
【図７】図７は、本開示のさまざまな態様にしたがってマルチプルなトライステートＨＡＲＱプロセスのために構成されているワイヤレス・デバイスのブロック図を示す。
【図８】[0029]  図８は、本開示のさまざまな態様にしたがってマルチプルなトライステートＨＡＲＱプロセスのために構成されているＵＥを含むシステムのブロック図を例示する。
【図９】[0030]  図９は、本開示のさまざまな態様にしたがってマルチプルなトライステートＨＡＲＱプロセスのために構成されている基地局を含むシステムのブロック図を例示する。
【図１０】[0031]  図１０は、本開示のさまざまな態様にしたがってマルチプルなトライステートＨＡＲＱプロセスに関する方法を例示するフローチャートを示す。
【図１１】図１１は、本開示のさまざまな態様にしたがってマルチプルなトライステートＨＡＲＱプロセスに関する方法を例示するフローチャートを示す。
【図１２】図１２は、本開示のさまざまな態様にしたがってマルチプルなトライステートＨＡＲＱプロセスに関する方法を例示するフローチャートを示す。
【図１３】図１３は、本開示のさまざまな態様にしたがってマルチプルなトライステートＨＡＲＱプロセスに関する方法を例示するフローチャートを示す。
【図１４】図１４は、本開示のさまざまな態様にしたがってマルチプルなトライステートＨＡＲＱプロセスに関する方法を例示するフローチャートを示す。
【図１５】図１５は、本開示のさまざまな態様にしたがってマルチプルなトライステートＨＡＲＱプロセスに関する方法を例示するフローチャートを示す。
【発明を実施するための形態】
【００２５】
[0032]  送信デバイスは、通信リンクのスループットを増すためにマルチプルなトランスポートブロックに対応するマルチプルなハイブリッド自動再送要求（ＨＡＲＱ）プロセスを使用し得る。マルチプルなＨＡＲＱプロセスは、追加の制御情報に関連し得る。例えば、追加の制御情報は、どのＨＡＲＱプロセスが使用されているか、各ＨＡＲＱプロセスのアクティビティ状態（例えば、アクティブな新データ、アクティブな再送信、または非アクティブ）、および各ＨＡＲＱプロセスに対応する冗長バージョンを指示し得る。共通の送信エラーイベントもまた、追加の制御情報によって処理され得る。
【００２６】
[0033]  ＨＡＲＱプロセスは、送信デバイスから受信デバイスへの新しいデータの送信を含み得る。受信デバイスは、送信が正しく受信されたかどうかをＡＣＫ／ＮＡＣＫ通信で応答し得る。応答がＡＣＫである場合、送信デバイスはデータの新しいセットを送り得、応答がＮＡＣＫである場合、送信デバイスは、受信デバイスにおいて第１の送信と結合され得る冗長バージョンを送り得る。
【００２７】
[0034]  追加のシグナリングが、マルチプルなＨＡＲＱプロセスの使用をサポートし得る。いくつかの場合では、この追加のシグナリングは、マルチプルなトランスポートブロックによって使用されるＨＡＲＱプロセス、ＨＡＲＱプロセスに対応する冗長バージョン、およびＨＡＲＱプロセスのアクティビティ状態を信号伝達するために使用され得る。
【００２８】
[0035]  デバイスは、データを受信するためにＤＬグラントを与えられ得る。ＤＬグラントの間に、ＨＡＲＱプロセスは、次の３つの状態、すなわち、１）アクティブ：新データ、２）アクティブ：再送信、３）非アクティブ、のうちの１つであり得る。ＨＡＲＱプロセス状態は、物理ダウンリンク制御チャネル（ＰＤＣＣＨ）によってデバイスに信号伝達され得る。いくつかの場合では、ＤＬグラントにおけるＨＡＲＱプロセスの全てが、同じ変調および符号化スキームを共有し得る。他の場合では、ＨＡＲＱプロセスは、異なるトランスポートブロック・サイズを有し得、ＨＡＲＱプロセスがマルチプルなトランスポートブロックを有する場合、その後各トランスポートブロックは異なる変調および符号化スキーム（ＭＣＳ）を有することができる。
【００２９】
[0036]  いくつかの例では、ＨＡＲＱプロセスの数が、何らかの最大値、例えばＫ、に制限され得る。そしてＡＣＫ／ＮＡＣＫの数もまたＫに制限され得る。いくつかの場合では、ＨＡＲＱプロセスに関連する情報を信号伝達するために、Ｋビットがアクティブまたは非アクティブの指示のために使用され得る。アクティビティ指示のために使用されるビットの数は、各ＨＡＲＱプロセスにおけるコード・ブロックの数とは無関係であり得る。Ｋビットはまた、ＨＡＲＱプロセスが冗長バージョンではなく新しいデータを送っていることを示す（すなわち新データ指示（ＮＤＩ：new data indication）を示す）ために使用され得る。ＮＤＩを示すために使用されるビットは、トグルされ（toggled）得、デバイスが異なるエラーイベントを区別することを可能にし得る。このようなアクティビティ状態情報を密にパッキングすることが、ＨＡＲＱプロセス中に生じ得る３つのアクティビティ状態を指示するために、わずかＫｌｏｇ２（３）ビット（K log2 (3) bits）の使用を可能にし得る。追加の２Ｋビットは、各コード・ブロックに関する冗長バージョンを信号伝達するために使用され得る。このことは、冗長バージョンが任意の順番で送られることを可能にし得る。いくつかの例では、ＨＡＲＱプロセスはいくつかのコードワード（ｃ）、例えば、ｃ＞１、をサポートする。このような場合では、ｃＫｂｉｔが使用され得るように、ＨＡＲＱプロセスが冗長な情報ではなく新しいデータを送り得ることを示すために、Ｋビットが、ＨＡＲＱプロセスの各々における各コードワードに対して使用され得る。
【００３０】
[0037]  再送信に関するトランスポートブロック・サイズは、最初の送信に従い得る。再送信は、最初のものとは異なる変調および符号化スキームを有し得る。所与のＤＬグラントにおいて、再送信のために使用されるリソース・エレメント（ＲＥ）が選択された後に、残りのＲＥがさまざまなアクティブのＨＡＲＱプロセスにわたって分割され得る。１つの例では、残りのＲＥには、新しいデータがＨＡＲＱプロセス間で均等に分配され得る。追加的にまたは代替的に、追加のシグナリングが、リソースの不均等な分割のために使用され得る。ＲＥの分割は、トランスポートブロック・サイズ（ＴＢＳ）を決定し得る。
【００３１】
[0038]  特定のエラーイベントが、マルチプルなＨＡＲＱプロセスを送信するときに生じ得る。追加の制御情報（例えば上述の情報フィールド）が、これらのエラーを軽減するために使用され得る。１つの例では、ＵＥは、ＰＤＣＣＨを復号することに失敗し得る。ＮＤＩビットがトグルされない場合、ＵＥは、再送信を結合し得、そうでなければ、対数尤度比（ＬＬＲ：log likelihood ratio）バッファをクリアし得る。別の例では、基地局が、ＡＣＫ／ＮＡＣＫを復号することに失敗し得る。ＮＤＩビットがトグルされない場合、ＵＥは、ＰＤＳＣＨプロセスをドロップし、ＡＣＫ／ＮＡＣＫを再送し得るか、そうでなければ、それのバッファをクリアし得る。さらに別の例では、ＵＥは、ＰＤＳＣＨを復号することに失敗し得る。ＮＤＩビットがトグルされない場合、ＵＥは、再送信を再結合し得、そうでなければ、それはＬＬＲバッファをクリアし得る。さらに別の例では、ＵＥは、ＰＤＳＣＨを復号することに失敗し得、基地局は、ＡＣＫ／ＮＡＣＫを復号することに失敗し得る。ＮＤＩビットがトグルされない場合、ＵＥは、再送信を再結合し得、そうでなければ、それはＬＬＲバッファをクリアし得る。
【００３２】
[0039]  以下の説明は、例を提供しており、特許請求の範囲に記載されている範囲、適用可能性、または例を限定してはいない。本開示の範囲から逸脱することなしに、論じられる要素の機能および配置に変更がなされ得る。さまざまな例は、適宜、さまざまなプロシージャまたはコンポーネントを省略、代用、あるいは追加し得る。例えば、説明される方法は、説明されるものとは異なる順序で実施され得、さまざまなステップが追加、省略、または組み合わされ得る。また、いくつかの例に関して説明される特徴は、他の例において組み合され得る。
【００３３】
[0040]  図１は、本開示のさまざまな態様にしたがって、ワイヤレス通信システム１００の例を例示する。ワイヤレス通信システム１００は、基地局１０５、ユーザ機器（ＵＥ）１１５、およびコア・ネットワーク１３０を含む。コア・ネットワーク１３０は、ユーザ認証、アクセス承認、追跡、インターネット・プロトコル（ＩＰ）接続、および他のアクセス、ルーティング、またはモビリティ機能を提供し得る。基地局１０５は、バックホール・リンク１３２（例えば、Ｓ１など）を通してコア・ネットワーク１３０とインターフェースで接続し得る。基地局１０５は、ＵＥ１１５との通信のための無線構成およびスケジューリングを実施し得るか、または基地局コントローラ（図示せず）の制御のもとで動作し得る。さまざまな例では、基地局１０５は、（例えば、コア・ネットワーク１３０を通じて）間接的に、または直接、バックホール・リンク１３４（例えば、Ｘ１など）上で互いと通信し得、それは、有線または無線の通信リンクであり得る。
【００３４】
[0041]  基地局１０５は、１つまたは複数の基地局アンテナを介してＵＥ１１５とワイヤレスで通信し得る。基地局１０５は、ＵＥ１１５との通信においてマルチプルトライステートＨＡＲＱプロセス（multiple tri-state HARQ process）を使用するように構成され得る。基地局１０５の各々は、通信カバレッジをそれぞれの地理的カバレッジ・エリア１１０に提供し得る。いくつかの例では、基地局１０５は、基地トランシーバ局、無線基地局、アクセス・ポイント、無線トランシーバ、ノードＢ、ｅノードＢ（ｅＮＢ）、ホーム・ノードＢ、ホームｅノードＢ、または何らかの他の適した専門用語で呼ばれ得る。基地局１０５のための地理的カバレッジ・エリア１１０は、カバレッジ・エリアの一部のみを構成するセクタに分割され得る（図示せず）。ワイヤレス通信システム１００は、異なるタイプの基地局１０５（例えば、マクロまたはスモール・セルの基地局）を含み得る。異なる技術に関して重複している地理的カバレッジ・エリア１１０が存在し得る。
【００３５】
[0042]  いくつかの例において、ワイヤレス通信システム１００は、ロング・ターム・エボリューション（ＬＴＥ）／ＬＴＥ−アドバンスド（ＬＴＥ−Ａ）ネットワークである。ＬＴＥ／ＬＴＥ−Ａネットワークでは、発展型ノードＢ（ｅＮＢ）という用語は概して、基地局１０５を説明するために使用され得、一方で、ＵＥという用語は概して、ＵＥ１１５を説明するために使用され得る。ワイヤレス通信システム１００は、異なるタイプのｅＮＢがさまざまな地理的領域にカバレッジを提供する異種ＬＴＥ／ＬＴＥ−Ａネットワークであり得る。例えば、各ｅＮＢまたは基地局１０５は、マクロ・セル、スモール・セル、または他のタイプのセルに通信カバレッジを提供し得る。「セル（cell）」という用語は、コンテキストに依存して、基地局、基地局に関連付けられたキャリアまたはコンポーネント・キャリア、あるいはキャリアまたは基地局のカバレッジ・エリア（例えば、セクタなど）を説明するために使用されることができる３ＧＰＰ（登録商標）の用語である。
【００３６】
[0043]  マクロ・セルは概して、比較的大きい地理的エリア（例えば、半径数キロメートル）をカバーし、ネットワーク・プロバイダにサービス加入しているＵＥ１１５による無制限のアクセスを可能にし得る。スモール・セルは、マクロ・セルと比較して、低電力の基地局であり、それは、マクロ・セルと同じまたは異なる（例えば、認可、無認可などの）周波数帯域で動作し得る。スモール・セルは、さまざまな例にしたがって、ピコ・セル、フェムト・セル、およびマイクロ・セルを含み得る。例えば、ピコ・セルは、小さい地理的エリアをカバーし得、ネットワーク・プロバイダにサービス加入しているＵＥ１１５による無制限アクセスを可能にし得る。フェムト・セルもまた、小さい地理的エリア（例えば、家）をカバーし得、フェムト・セルとの関連付けを有するＵＥ１１５（例えば、クローズド加入者グループ（ＣＳＧ）中のＵＥ１１５、家の中にいるユーザのためのＵＥ１１５など）による制限されたアクセスも提供し得る。マクロ・セルに関するｅＮＢは、マクロｅＮＢと呼ばれ得る。スモール・セルのためのｅＮＢは、スモール・セルｅＮＢ、ピコｅＮＢ、フェムトｅＮＢ、またはホームｅＮＢと呼ばれ得る。ｅＮＢは、１つまたは多数（例えば、２つ、３つ、４つなど）のセル（例えば、コンポーネント・キャリア）をサポートし得る。
【００３７】
[0044]  ワイヤレス通信システム１００は、同期または非同期動作をサポートし得る。同期動作の場合、基地局１０５は、類似したフレーム・タイミングを有し得、異なる基地局１０５からの送信が時間的にほぼアライメントされ得る。非同期動作では、基地局１０５は異なるフレーム・タイミングを有し得、異なる基地局１０５からの送信が時間的にアライメントされないことがある。本書に説明される技法は、同期または非同期動作のいずれかに使用され得る。
【００３８】
[0045]  ＵＥ１１５は、ワイヤレス通信システム１００全体にわたって分散され得、各ＵＥ１１５は、固定式または移動式であり得る。さらに、ＵＥ１１５は、基地局１０５との通信状態でマルチプルトライステートＨＡＲＱプロセスを使用するように構成され得る。ＵＥ１１５はまた、モバイル局、加入者局、モバイル・ユニット、加入者ユニット、ワイヤレス・ユニット、遠隔ユニット、モバイル・デバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、または何らかの他の適した専門用語を含み得るか、または当業者によってそれらで呼ばれ得る。ＵＥ１１５は、セルラ電話、携帯情報端末（ＰＤＡ）、ワイヤレス・モデム、ワイヤレス通信デバイス、ハンドヘルド・デバイス、タブレット・コンピュータ、ラップトップ・コンピュータ、コードレス電話、ワイヤレス・ローカル・ループ（ＷＬＬ）局などであり得る。ＵＥは、マクロｅＮＢ、スモール・セルｅＮＢ、中継基地局などを含むさまざまなタイプの基地局およびネットワーク機器と通信することが可能であり得る。
【００３９】
[0046]  ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は、順方向リンク送信とも呼ばれ得、一方でアップリンク送信は、逆方向リンク送信とも呼ばれ得る。各通信リンク１２５は、１つまたは複数のキャリアを含み得、ここで、各キャリアは、上述されたさまざまな無線技術にしたがって変調された複数のサブキャリア（例えば、異なる周波数の波形信号）から構成される信号であり得る。変調された各信号は、異なるサブキャリア上で送られ得、制御情報（例えば、基準信号、制御チャネルなど）、オーバヘッド情報、ユーザ・データなどを搬送し得る。通信リンク１２５は、周波数分割複信（ＦＤＤ）（例えば、ペアのスペクトル・リソースを使用する）、または時分割複信（ＴＤＤ）動作（例えば、ペアではないスペクトル・リソース）を使用して双方向通信を送信し得る。ＦＤＤに関するフレーム構造（例えば、フレーム構造タイプ１）およびＴＤＤに関するフレーム構造（例えば、フレーム構造タイプ２）が定義され得る。
【００４０】
[0047]  ワイヤレス通信システム１００は、複数のセルまたはキャリア上での動作をサポートし得、その特徴はキャリア・アグリゲーション（ＣＡ）またはマルチ・キャリア動作と呼ばれ得る。キャリアはまた、コンポーネント・キャリア（ＣＣ）、レイヤ、チャネルなどと呼ばれ得る。「キャリア」、「コンポーネント・キャリア」、「セル」、および「チャネル」という用語は、本書では交換可能に使用され得る。ＵＥ１１５は、キャリア・アグリゲーションのための複数のダウンリンクＣＣおよび１つまたは複数のアップリンクＣＣで構成され得る。キャリア・アグリゲーションは、ＦＤＤおよびＴＤＤコンポーネント・キャリアの両方を用いて使用され得る。
【００４１】
[0048]  いくつかの場合では、ワイヤレス通信システム１００は、拡張ＣＣ（ｅＣＣ）を使用し得る。ｅＣＣは、フレキシブルな帯域幅、可変長のＴＴＩ、および修正された制御チャネル構成を含む特徴によって特徴付けられ得る。いくつかの場合では、ｅＣＣは、（例えば多数のサービング・セルが、準最適な、または理想的でないバックホール・リンクを有する場合）キャリア・アグリゲーション構成または二重接続構成（dual connectivity configuration）で関連付けされ得る。ｅＣＣはまた、アンライセンススペクトルまたは共有スペクトル（２以上のオペレータがスペクトルを使用するライセンスを受けている）での使用のために構成され得る。フレキシブルな帯域幅によって特徴付けられるｅＣＣは、全帯域幅をモニタすることができない、または（例えば電力を節約するために）制限された帯域幅を使用することを好むＵＥ１１５によって使用され得る、１つまたは複数のセグメントを含み得る。
【００４２】
[0049]  いくつかの場合では、ｅＣＣは、可変のＴＴＩ長およびシンボル持続時間を使用し得る。いくつかの場合では、ｅＣＣは、異なるＴＴＩ長に関連付けられた多数の階層レイヤを含み得る。例えば、１つの階層レイヤにおけるＴＴＩは、均一な１ｍｓサブフレームに対応し得、一方で第２のレイヤでは、可変長のＴＴＩは、短い持続時間のシンボル期間のバーストに対応し得る。いくつかの場合では、より短いシンボル持続時間はまた、増大されたサブキャリア間隔に関連付けられ得る。他の例では、ｅＣＣのリソースのヌメロロジー（numerology）は、別のＣＣのヌメロロジーとは異なり得、それは、例えば特定のＬＴＥ基準のリリースまたはバージョンで定義されるＴＴＩを使用し得る。
【００４３】
[0050]  フレキシブルな帯域幅および可変のＴＴＩは、修正された制御チャネル構成に関連付けされ得、例えば、ｅＣＣは、ＤＬ制御情報に関する拡張物理ダウンリンク制御チャネル（ｅＰＤＣＣＨ）を使用し得、それは、以下に説明されるＰＤＣＣＨの機能のいくつかを実施し得る。いくつかの場合では、ｅＣＣの制御チャネルは、異なる帯域幅能力を有するＵＥ１１５、またはフレキシブルな帯域幅に適応するための周波数分割多重（ＦＤＭ）制御チャネルを使用し得る。他の制御チャネル修正は、例えば、ｅＭＢＭＳスケジューリングのための、または可変長のＵＬおよびＤＬバーストの長さを示すための追加の制御チャネル、あるいは、異なる間隔で送信された制御チャネルの使用を含み得る。ｅＣＣはまた、修正されたまたは追加のＨＡＲＱ関連の制御情報を含み得る。例えば、ｅＣＣは、マルチプルトライステートＨＡＲＱプロセスを使用する通信をサポートし得る。
【００４４】
[0051]  さまざまな開示される例のうちのいくつかに適応し得る通信ネットワークは、レイヤード・プロトコル・スタックにしたがって動作するパケット・ベースのネットワークであり得、ユーザ・プレーンにおけるデータは、ＩＰに基づき得る。無線リンク制御（ＲＬＣ）レイヤは、論理チャネルを通じて通信するためにパケット・セグメンテーションおよびリアセンブリを実施し得る。媒体アクセス制御（ＭＡＣ）レイヤは、優先処理および論理チャネルのトランスポートチャネルへの多重化を行い得る。ＭＡＣレイヤはまた、ＭＡＣレイヤにおいて再送信を提供するためにＨＡＲＱを使用して、リンク効率を改良し得る。制御プレーンにおいて、無線リソース制御（ＲＲＣ）プロトコル・レイヤは、ＵＥ１１５と基地局１０５との間のＲＲＣ接続の確立、設定、および維持を提供し得る。ＲＲＣプロトコル・レイヤはまた、ユーザ・プレーン・データのための無線ベアラをサポートするコア・ネットワーク１３０のために使用され得る。物理（ＰＨＹ）レイヤにおいて、トランスポートチャネルは、物理チャネルにマッピングされ得る。
【００４５】
[0052]  ＨＡＲＱは、トランスポートブロックおよび含まれているデータがワイヤレス通信リンク１２５上で正しく受信されることを確実にする方法であり得る。ＨＡＲＱは、（例えばＣＲＣを使用した）エラー検出、順方向エラー訂正（ＦＥＣ：forward error correction）、および再送信（例えば自動再送要求（ＡＲＱ））の組合せを含み得る。ＨＡＲＱは、不十分な無線状況（例えば信号対ノイズ状況（signal-to-noise conditions））においてＭＡＣレイヤでスループットを改良し得る。インクリメンタル・リダンダンシーＨＡＲＱ（Incremental Redundancy HARQ）において、不正確に受信されたデータが、バッファに格納され、後続の送信と結合されて、データを成功裏に復号することの総合的な可能性を向上させ得る。いくつかの場合では、冗長ビットが送信の前に各メッセージに加えられる。このことは、不十分な無線状況において特に有用であり得る。他の場合では、冗長ビットは、各送信に加えられず、しかし、最初のメッセージの送信機が情報を復号する試みの失敗を示すＮＡＣＫを受信した後に、再送信される。トランスポートブロックの一部が正確に送られない場合、受信デバイスは、ＮＡＣＫで送信デバイスに応答し得る。ＮＡＣＫを受信したあと、基地局１０５は、正確に復号された情報を含めて、トランスポートブロック全体を再送信し得、トランスポートブロックの各再送信は、後続の冗長バージョン（ＲＶ）と見なされ得る（例えば、新しいトランスポートブロックはＲＶ０であり、トランスポートブロックの第１の再送信はＲＶ１である、など）。冗長バージョンがしきい値を超えている場合、基地局１０５は、トランスポートブロックの送信を中止し、プロセスを再び始めるために、ＲＬＣにトランスポートブロックを送り返し得る。
【００４６】
[0053]  いくつかの場合では、基地局１０５は、ストップ・アンド・ウェイト（stop-and-wait）送信技術を使用し得、これにおいて基地局１０５は、トランスポートブロックの再送信または新しいデータを送信することの前にＵＥ１１５からの肯定応答を待つ。このプロセスは、所定の時間インターバルにしたがって行われ得、いくつかの例では、送信機は、第１の送信と次の送信との間に８ｍｓまで待ち得、例えば、２つの送信の間に７個までのサブフレームが存在し得る。したがって、ＨＡＲＱプロセスに対応するトランスポートブロックの一部が、正確に受信されない場合、送信機は、トランスポートブロックの正確に受信された部分を含めて、全トランスポートブロックを再送信するために８ｍｓまで待ち得る。他の例では、低レイテンシ動作を用いるｅＣＣの場合など（例えば、ＴＴＩはＬＴＥリリース８シンボル期間の持続時間を有する）、ＨＡＲＱレイテンシは、サブフレーム未満であり得る。
【００４７】
[0054]  ＴＴＩ、またはサブフレームのすべてを完全に使用するために、送信機は、マルチプルなハイブリッドＡＲＱプロセス（例えば最大８個までのプロセス）を使用し得る。いくつかのシステムでは、ただ１つのＨＡＲＱプロセスが、各送信のために使用され、送信機は、チャネル状態に依存して、交互の（alternating）ＨＡＲＱプロセスに関する異なる数の冗長バージョンを送り得る（例えば、ＨＡＲＱプロセス１はＲＶ２を含み得、ＨＡＲＱプロセス２はＲＶ１を含み得、ＨＡＲＱプロセス３はＲＶ０を含み得る）。トランスポートブロックおよびデータの適切な（順序正しい）受信を確実にするために、ＨＡＲＱプロセス、冗長バージョン、および新データ指示を把握しておく（keep track of）ことが基地局１０５およびＵＥ１１５にとって重要であり得る。
【００４８】
[0055]  本開示によれば、基地局１０５は、マルチプルな同時ＨＡＲＱプロセスに対応するマルチプルなトランスポートブロックを含む信号を送信し得る。追加の制御情報は、マルチプルな同時ＨＡＲＱプロセスをサポートするために使用され得る。例えば、追加の制御情報は、利用可能なＨＡＲＱプロセスの数、各ＨＡＲＱプロセスに関するアクティビティ状態（例えば、アクティブな新データ、アクティブな再送信、非アクティブ）、および各ＨＡＲＱプロセスの冗長バージョンを指示し得る。いくつかの場合では、追加の制御情報は、ダウンリンク・グラントに含まれ得る。そしてＵＥ１１５は、トランスポートブロックの各々に対して肯定応答または否定応答（ＡＣＫ／ＮＡＣＫ）で応答し得る。そして基地局１０５は、ＡＣＫ／ＮＡＣＫに基づいて各ＨＡＲＱプロセスに関する再送信状態を識別し、ＵＥ１１５に新しい冗長バージョン（または新しいデータ）を送信し得る。
【００４９】
[0056]  図２は、本開示のさまざまな態様によるマルチプルなトライステートＨＡＲＱプロセスに関するワイヤレス通信システム２００の例を例示する。ワイヤレス通信システム２００は、ＵＥ１１５−ａおよび基地局１０５−ａを含み得、これらは、図１を参照してそれぞれ上述されたＵＥ１１５および基地局１０５の例であり得る。基地局１０５−ａおよびＵＥ１１５−ａは、ＵＥ１１５−ａが図１を参照して上記に概説されたようにカバレッジ・エリア１１０−ａ内にあるとき、ダウンリンク２０５およびアップリンク２１０を介して互いに通信し得る。ダウンリンク２０５は、トランスポートブロック２１５のセットを含み得、アップリンク２１０は、個々の、またはグループのＡＣＫ／ＮＡＣＫ２２０を含み得る。トランスポートブロック２１５のセットは、マルチプルなＨＡＲＱプロセスを使用し得、それは、追加のＨＡＲＱシグナリングペイロードに関連付けされ得る。
【００５０】
[0057]  いくつかのシステムでは、ＨＡＲＱを使用するワイヤレス・デバイスは、送信ごとにただ１つのＨＡＲＱプロセスを使用し得る。しかしながら、いくつかの例では、基地局１０５−ａのようなワイヤレス・デバイスは、通信リンクのスループットを増大させるために、それぞれのＨＡＲＱプロセスを各々が使用する、マルチプルなトランスポートブロックを送信し得る。追加の制御情報は、ＨＡＲＱプロセスの状態、各ＨＡＲＱプロセスに対応する冗長バージョン、および各ＨＡＲＱプロセスのアクティビティ状態を指示し得る。上述のように、いくつかの場合では、ＨＡＲＱプロセスは、次の３つのアクティビティ状態であり得る。アクティブ−新データ（Active - New Data）、アクティブ−再送信（Active - Retransmission）、または非アクティブ（Inactive）。
【００５１】
[0058]  例えば、基地局１０５−ａは、ＤＬグラントの後に、またはＤＬグラントと同時に、マルチプルなＨＡＲＱプロセスを使用するトランスポートブロック２１５のセットを送信し得る。ＵＥ１１５−ａは、ＤＬグラントを受信し得、それは、マルチプルなＨＡＲＱプロセスに対応するトランスポートブロックの送信をサポートするために追加のシグナリングを含み得る。例えば、ＵＥ１１５−ａによって受信されるＤＬグラントは、利用可能なＨＡＲＱプロセスのアクティビティ状態、トランスポートブロックとＨＡＲＱプロセスとの間の対応、および対応する冗長バージョンを示す制御情報を含み得る。ＨＡＲＱ状態は、各ＨＡＲＱプロセスの冗長バージョンに加えて、ＨＡＲＱインジケータを通じて通信され得る。ＨＡＲＱインジケータは、ＤＬグラントとともに含まれ得、物理ダウンリンク制御チャネル（ＰＤＣＣＨ）を通じてＵＥ１１５−ａに信号伝達され得る。
【００５２】
[0059]  ＰＤＣＣＨにおける（または別の制御メッセージにおける）追加のビットは、マルチプルなＨＡＲＱプロセスの状態を示すために使用され得る。例えば、ＨＡＲＱインジケータ・フィールドは、ＨＡＲＱプロセスがアクティブの状態であるか非アクティブの状態であるかを示すＫビットを含み得る。アクティビティ指示のために使用されるビットの数は、各ＨＡＲＱプロセスにおけるコード・ブロックの数とは無関係であり得る。Ｋビットはまた、ＨＡＲＱプロセスが冗長バージョンではなく新しいデータを送っていることを示すために（例えば新データ指示（ＮＤＩ：new data indication）を示すために）使用され得る。ＮＤＩのために使用されるビットは、トグルされ得、デバイスが異なるエラーイベントを区別することを可能にし得る。このことは、アクティビティ状態およびＮＤＩインジケータを示すために使用される合計２Ｋビットをもたらし得る。いくつかの場合では、アクティビティ状態およびＫのＨＡＲＱプロセスのためのＮＤＩインジケータは、２Ｋ未満のビットで表され得、例えば、有効なパッキングが、わずかＫｌｏｇ２（３）ビットの使用を可能にし得る。さらに、２Ｋの追加のビットは、各ＨＡＲＱプロセスに関する冗長バージョンを信号伝達するために使用され得る。このことは、冗長バージョンが任意の順番で送られることを可能にし得る。
【００５３】
[0060]  図３は、本開示のさまざまな態様にしたがってマルチプルなトライステートＨＡＲＱプロセスに関する通信構造３００の例を例示する。通信構造３００は、図１および２を参照して上述されたように、ＵＥ１１５と基地局１０５との間の送信の態様を示し得る。通信構造３００は、冗長バージョン１乃至Ｎに加えて、ＨＡＲＱプロセス１乃至Ｋを含み得る。ＨＡＲＱプロセス１乃至Ｋは、最大Ｋ個までのトランスポートブロックに対応し得る。トランスポートブロックのセットは、送信時間インターバル（ＴＴＩ）内で送信され得る。第１のＤＬグラント３１５−ａおよび第２のＤＬグラント３１５−ｂは、ＨＡＲＱ指示情報を含み得、その結果ＵＥ１１５は、トランスポートブロックを復号し得る。いくつかの例では、ＡＣＫ／ＮＡＣＫ３２０のセットが、アップリンク３１０を通じてＵＥ１１５によって送信され得、一方でトランスポートブロックのセットは、ダウンリンク３０５を通じて基地局１０５によって送信され得る。
【００５４】
[0061]  １つの例では、基地局１０５は、ＵＥ１１５にＤＬグラント３１５を送り得る。このグラントは、次回のデータ送信をＵＥ１１５に通知し、データ信号がどのように送られるかをＵＥ１１５に伝え得る。ＤＬグラント３１５は、使用される周波数リソース、送られているデータの量、およびトランスポートブロックのセットのために使用される割当ておよび変調スキームについての情報を含み得る。ＤＬグラント３１５はまた、利用可能なＨＡＲＱプロセスのアクティビティ状態、ダウンリンク・リソースにわたる１つまたはトランスポートブロックの分割、どのようにトランスポートブロックがＨＡＲＱプロセスに対応するか、およびＴＴＩに関するＨＡＲＱプロセスに関連付けされた冗長バージョンを指示するために使用される制御情報を含み得る。基地局１０５は、ダウンリンク３０５を介して第１のＤＬグラント３１５−ａに基づいてトランスポートブロックを送信し得る。各トランスポートブロックは、Ｋ個のＨＡＲＱプロセスのうちの１つに対応し得る。１つの例では、ＨＡＲＱプロセス、ＨＡＲＱ１乃至ＨＡＲＱ３がアクティブであり、一方でＨＡＲＱ４乃至ＨＡＲＱ Ｋが非アクティブである。いくつかの場合では、送信は、最初のデータ送信であり得、その結果、各トランスポートブロックは、冗長バージョン０によって示される新しいデータを含み得る（例えば、ＴＢ１：ＲＶ０、ＴＢ２：ＲＶ０、ＴＢ３：ＲＶ０）。いくつかの場合では、基地局１０５は、送信の後にＡＣＫ／ＮＡＣＫ３２０の対応するセットで応答するために、ＵＥ１１５をいくらかの持続時間（例えば１または複数のＴＴＩ）だけ待ち得る。いくつかの場合では、ＡＣＫ／ＮＡＣＫ応答は、対応するデータ送信と同じＴＴＩの間に受信され得る。ＡＣＫ／ＮＡＣＫ３２０のセットは、トランスポートブロックのセットの、成功または不成功の受信および復号を、基地局に伝え得る。
【００５５】
[0062]  図３の例では、ＨＡＲＱプロセスＨＡＲＱ１およびＨＡＲＱ３は、ＵＥ１１５においてトランスポートブロックＴＢ１およびＴＢ３に含まれる新しいデータの成功の送信および受信を示し得、一方で、ＨＡＲＱ２は、例えば失敗した巡回冗長検査（ＣＲＣ：cyclic redundancy check）のような、復号の成功を妨げるエラーイベントを経験し得る。基地局１０５は、ＡＣＫ／ＮＡＣＫ３２０に基づいてどのＨＡＲＱプロセスが不成功の送信を指示するか、例えば、どのトランスポートブロックがＮＡＣＫに対応するか、を決定し、対応するトランスポートブロックの冗長バージョンを送信するためのリソースを割り当て得る。リソースが再送信に割り当てられた後、残りのリソース・エレメントが、新しいデータ送信のために使用される１つまたは複数のアクティブのＨＡＲＱプロセスにわたって分割され得る。いくつかの場合では、残りのリソース・エレメントは、新しいデータをもつＨＡＲＱプロセス間で均等に分割される。他の場合では、リソース・エレメントは、不均等に分割され得る。ＨＡＲＱプロセスにわたるリソース・エレメントのこの割り当ては、トランスポートブロックのセットのサイズを決定し得る。いくつかの場合では、追加のＨＡＲＱプロセスがアクティブ化され得、またはアクティブなＨＡＲＱプロセスが非アクティブ化され得る（図示されていない）。
【００５６】
[0063]  リソースが割り当てられると、基地局１０５は、どのようにトランスポートブロックの第２のセットが送られ得るかを示す第２のＤＬグラント３１５−ｂを送り得る。例えば、第２のＤＬグラント３１５−ｂは、トランスポートブロックの第２のセットに周波数リソースの第２のセットを割り当て得る。周波数リソースの第２のセットは、周波数リソースの先の（previous）セットとは異なり得、または、トランスポートブロックの第２のセットは、先の送信とは異なって順序付けされ得る。再送信、例えば、冗長バージョンの送信、は、最初の送信と同じトランスポートブロック・サイズを共有し得、同じまたは異なる変調および符号化スキーム（ＭＣＳ）で再送信され得る。ＵＥ１１５は、ＡＣＫ／ＮＡＣＫのセットで再度応答し得、基地局は、次の送信で冗長のおよび新しいデータを送信する前に、成功および不成功のＨＡＲＱ送信を再度決定し得る。
【００５７】
[0064]  図４は、本開示のさまざまな態様にしたがってマルチプルなトライステートＨＡＲＱプロセスに関するプロセス・フロー４００の例を例示する。プロセス・フロー４００は、基地局１０５−ｂおよびＵＥ１１５−ｂによって実施され得、それは、図１乃至３を参照して上述された基地局１０５およびＵＥ１１５の例であり得る。いくつかの例では、基地局１０５−ｂは、同じＴＴＩ内でＵＥ１１５−ｂにマルチプルなＨＡＲＱプロセスを送信し得る。ＵＥ１１５−ｂは、送信されたデータの成功のまたは不成功の受信または復号を信号伝達するために、１グループのＡＣＫ／ＮＡＣＫで応答し得る。
【００５８】
[0065]  ステップ４０５において、基地局１０５−ｂは、複数のＨＡＲＱプロセスの各々に関する状態を識別し得る。いくつかの例では、ＨＡＲＱ状態は、新データ指示、再送信指示、または非アクティブ指示を含む。ＨＡＲＱ状態はまた、冗長バージョンを含み得る。
【００５９】
[0066]  ステップ４１０において、基地局１０５−ｂは、アクティブのＨＡＲＱプロセスの状態に基づいてトランスポートブロックにリソース・エレメントを割り当て得る。
【００６０】
[0067]  ステップ４１５において、基地局１０５−ｂは、制御メッセージを送信し得、それは、関連付けされたトランスポートブロックに関するリソース・グラントおよびＨＡＲＱプロセスの状態の指示を含み得る。リソース・グラントは、何の周波数リソースが使用されているか、送られているデータの量、および複数のトランスポートブロックのために使用されるべき割当ておよび変調および符号化スキーム（ＭＣＳ）を、ＵＥ１１５−ｂに伝え得る。
【００６１】
[0068]  ステップ４２０において、基地局１０５−ｂは、マルチプルなトランスポートブロックを含むＵＥ１１５−ｂにデータ信号を送信し得る。いくつかの例では、複数のトランスポートブロックの各々は同じＭＣＳを使用する。いくつかの例では、複数のトランスポートブロックは、単一のＴＴＩ内で送信される。いくつかの場合では、各トランスポートブロックは、異なるＭＣＳを有することができる。
【００６２】
[0069]  ステップ４２５において、ＵＥ１１５−ｂは、制御メッセージに基づいて受信された複数のトランスポートブロックを復号し得る。ＵＥ１１５−ｂは、各トランスポートブロックがＣＲＣを実施することによって成功裏に復号されるかどうかを決定し得る。
【００６３】
[0070]  ステップ４３０において、ＵＥ１１５−ｂは、各トランスポートブロックが成功裏に復号されたかどうかに基づいてＡＣＫ／ＮＡＣＫで基地局１０５−ｂに応答し得る。例えば、ＵＥ１１５−ｂは、トランスポートブロックを受信または復号することに失敗した後に、トランスポートブロックに対してＮＡＣＫを送信し得る。ＵＥ１１５−ｂは、成功の受信および復号の後に、トランスポートブロックに対してＡＣＫを送り得る。
【００６４】
[0071]  ステップ４３５において、基地局１０５−ｂは、ＵＥ１１５−ｂからのＡＣＫ／ＮＡＣＫに基づいて利用可能なＨＡＲＱプロセスの状態をアップデートし得る。アップデートされた状態は、再送信状態を識別し得、再送信指示または冗長バージョン、またはそれら両方を含み得る。いくつかの例では、再送信状態は、基地局１０５−ｂがＮＡＣＫを受信した結果であり得る。他の場合では、再送信状態は、基地局１０５−ｂがＮＡＣＫを正しく受信することに失敗した結果であり得る。他の場合では、再送信状態は、ＵＥ１１５−ｂがＡＣＫまたはＮＡＣＫを送信することに失敗した結果であり得る。
【００６５】
[0072]  ステップ４４０において、基地局１０５−ｂは、ＨＡＲＱプロセスのアップデートされた状態に基づいて追加のトランスポートブロックに関するリソースを割り当て得る。例えば、基地局１０５−ｂは、再送信されたデータに関連付けされたＨＡＲＱプロセスに関するリソースの第１のセットを識別し得る。いくつかの場合では、基地局１０５−ｂは、リソースの第２のセットを、新しいデータを含むそれらのトランスポートブロックの間で均等に分割し得る。
【００６６】
[0073]  ステップ４４５において、基地局１０５−ｂは、ＵＥ１１５−ｂに、リソースの新しい割り当てとトランスポートブロックの第２のセットに対応するＨＡＲＱプロセスのアップデートされた状態の指示を含む第２の制御メッセージを送信し得る。そしてＵＥ１１５−ｂは、第２の制御に基づいて次のトランスポートブロックに関する再送信状態を識別し得る。ＵＥ１１５−ｂはまた、次の送信に関する新しいデータの状態を識別し得る。
【００６７】
[0074]  ステップ４５０において、基地局１０５−ｂは、第２の制御メッセージに基づいてマルチプルなトランスポートブロックの第２のセットを含む第２のデータ信号を送信し得る。
【００６８】
[0075]  図５は、本開示のさまざまな態様にしたがってマルチプルなトライステートＨＡＲＱプロセスのために構成されているワイヤレス・デバイス５００のブロック図を示す。ワイヤレス・デバイス５００は、図１乃至４を参照して説明されたデバイス、例えばＵＥ１１５または基地局１０５の態様の例であり得る。ワイヤレス・デバイス５００は、受信機５０５、トライステートＨＡＲＱプロセス・モジュール５１０、または送信機５１５を含み得る。ワイヤレス・デバイス５００はまた、プロセッサを含み得る。これらのコンポーネントの各々は、互いに通信状態にあり得る。
【００６９】
[0076]  受信機５０５は、さまざまな情報チャネル（例えば、制御チャネル、データ・チャネルおよびマルチプルなトライステートＨＡＲＱプロセスに関連した情報など）に関連付けられた、パケット、ユーザ・データ、または制御情報のような情報を受信し得る。情報は、トライステートＨＡＲＱプロセス・モジュール５１０に、およびワイヤレス・デバイス５００の他のコンポーネントに渡され得る。
【００７０】
[0077]  トライステートＨＡＲＱプロセス・モジュール５１０は、複数のＨＡＲＱプロセスの各々に関する状態を識別し得る。トライステートＨＡＲＱプロセス・モジュール５１０はまた、他のモジュールと組み合されて、例えば、複数のＨＡＲＱプロセスの各々に関する状態の指示を含む制御メッセージを送信し、制御メッセージに少なくとも部分的に基づいて複数のＨＡＲＱプロセスに対応する複数のトランスポートブロックを含むデータ信号を送信し得る。
【００７１】
[0078]  送信機５１５は、ワイヤレス・デバイス５００の他のコンポーネントから受信された信号を送信し得る。いくつかの例では、送信機５１５は、トランシーバ・モジュールにおいて受信機５０５とコロケートされ（collocated with）得る。送信機５１５は、単一のアンテナを含み得るか、またはそれは、複数のアンテナを含み得る。
【００７２】
[0079]  図６は、本開示のさまざまな態様にしたがってマルチプルなトライステートＨＡＲＱプロセスのためのワイヤレス・デバイス６００のブロック図を示す。ワイヤレス・デバイス６００は、図１乃至５を参照して説明された基地局１０５、ＵＥ１１５、またはワイヤレス・デバイス５００の態様の例であり得る。ワイヤレス・デバイス６００は、受信機５０５−ａ、トライステートＨＡＲＱプロセス・モジュール５１０−ａ、または送信機５１５−ａを含み得る。ワイヤレス・デバイス６００はまた、プロセッサを含み得る。これらのコンポーネントの各々は、互いに通信状態にあり得る。トライステートＨＡＲＱプロセス・モジュール５１０−ａはまた、状態モジュール６０５、制御メッセージ・モジュール６１０、およびデータ・モジュール６１５を含み得る。
【００７３】
[0080]  受信機５０５−ａは、トライステートＨＡＲＱプロセス・モジュール５１０−ａに、およびワイヤレス・デバイス６００の他のコンポーネントに渡され得る情報を受信し得る。トライステートＨＡＲＱプロセス・モジュール５１０−ａは、図５を参照して上述された動作を実施し得る。送信機５１５−ａは、ワイヤレス・デバイス６００の他のコンポーネントから受信された信号を送信し得る。
【００７４】
[0081]  状態モジュール６０５は、図２乃至４を参照して上述されたように複数のＨＡＲＱプロセスの各々に関する状態を識別し得る。いくつかの例では、複数のＨＡＲＱプロセスの各々に関する状態は、新データ指示、再送信指示、または非アクティブ指示を含む。いくつかの例では、ＨＡＲＱプロセスに関する状態は、冗長バージョンを含む。
【００７５】
[0082]  制御メッセージ・モジュール６１０は、図２乃至４を参照して上述されたように、複数のＨＡＲＱプロセスの各々に関する状態の指示を含む制御メッセージを、送信（または受信）し得るか、ワイヤレス・デバイス６００に送信（または受信）させ得る。制御メッセージ・モジュール６１０はまた、再送信状態に少なくとも部分的に基づいて、第２の制御メッセージを送信し得る。いくつかの例では、制御メッセージは、複数のトランスポートブロックに関するリソース・グラントを含む。
【００７６】
[0083]  データ・モジュール６１５は、図２乃至４を参照して上述されたように、ある数のＨＡＲＱプロセスに対応する複数のトランスポートブロックを含むデータ信号を、制御メッセージに基づいて、送信（または受信）し得るか、またはワイヤレス・デバイス６００に送信（または受信）させ得る。データ・モジュール６１５はまた、第２の制御メッセージに少なくとも部分的に基づいて複数のＨＡＲＱプロセスに対応する第２の複数のトランスポートブロックを含む第２のデータ信号を送信し得る。
【００７７】
[0084]  図７は、本開示のさまざまな態様にしたがって、マルチプルなトライステートＨＡＲＱプロセスに関するワイヤレス・デバイス６００、またはワイヤレス・デバイス５００のコンポーネントであり得る、トライステートＨＡＲＱプロセス・モジュール５１０−ｂのブロック図７００を示す。トライステートＨＡＲＱプロセス・モジュール５１０−ｂは、図５乃至６を参照して説明されたトライステートＨＡＲＱプロセス・モジュール５１０の態様の例であり得る。トライステートＨＡＲＱプロセス・モジュール５１０−ｂは、状態モジュール６０５−ａ、制御メッセージ・モジュール６１０−ａ、およびデータ・モジュール６１５−ａを含み得る。これらのモジュールの各々は、図６を参照して上述された機能を実施し得る。トライステートＨＡＲＱプロセス・モジュール５１０−ｂはまた、ＡＣＫ／ＮＡＣＫモジュール７０５、再送信状態モジュール７１０、およびリソース・モジュール７１５を含み得る。トライステートＨＡＲＱプロセス・モジュール５１０−ｂのさまざまなモジュールは、互いに通信状態にあり得る。
【００７８】
[0085]  ＡＣＫ／ＮＡＣＫモジュール７０５は、図２乃至４を参照して上述されたように、受信された各トランスポートブロックに関するＡＣＫまたはＮＡＣＫを送信（または受信）し得る。ＡＣＫ／ＮＡＣＫは、受信されたトランスポートブロックがＣＲＣをパスするかどうかに基づいて送られ得る。
【００７９】
[0086]  再送信状態モジュール７１０は、図２乃至４を参照して上述されたように、複数のＨＡＲＱプロセスの各ＨＡＲＱプロセスに関する再送信状態を識別し得、再送信状態は、再送信指示および冗長バージョンを含み得る。再送信状態モジュール７１０はまた、第２の制御メッセージに少なくとも部分的に基づいて、第２の再送信状態を識別し得る。
【００８０】
[0087]  リソース・モジュール７１５は、図２乃至４を参照して上述されたように、再送信されたデータに関連付けされた複数のＨＡＲＱプロセスのサブセットに関するリソースの第１のセットを識別し得る。リソース・モジュール７１５はまた、新しいデータを含む複数のトランスポートブロックの間でデータ信号に関するリソースの第２のセットを均等に分割し得る。
【００８１】
[0088]  ワイヤレス・デバイス５００、ワイヤレス・デバイス６００、またはトライステートＨＡＲＱプロセス・モジュール５１０−ｂのコンポーネントは、各々、個々に、または集合的に、ハードウェア内の適用可能な機能のいくつかまたはすべてを実施するように適応された少なくとも１つの特定用途向け集積回路（ＡＳＩＣ）でインプリメントされ得る。代わって、機能は、少なくとも１つのＩＣ上で、１つまたは複数の他の処理ユニット（またはコア）によって実施され得る。他の例において、他のタイプの集積回路（例えば、構造化／プラットフォームＡＳＩＣ、フィールド・プログラマブル・ゲートアレイ（ＦＰＧＡ）、または別の半カスタムＩＣ）が使用され得、それらは、当該技術分野において既知の任意の方法でプログラムされ得る。各ユニットの機能はまた、１つまたは複数の汎用または特定用途向けのプロセッサによって実行されるようにフォーマット化された、メモリにおいて具現化される命令で、全体的または部分的にインプリメントされ得る。
【００８２】
[0089]  図８は、本開示のさまざまな態様にしたがってマルチプルなトライステートＨＡＲＱプロセスのために構成されたＵＥを含むシステム８００の図を示す。システム８００は、ＵＥ１１５−ｃを含み得、それは、図１乃至７を参照して上述された、ワイヤレス・デバイス５００、ワイヤレス・デバイス６００、またはＵＥ１１５の例であり得る。ＵＥ１１５−ｃは、トライステートＨＡＲＱプロセス・モジュール８１０を含み得、それは、図５乃至７を参照して説明されたトライステートＨＡＲＱプロセス・モジュール５１０の例であり得る。いくつかの例では、ＵＥ１１５−ｃは、ＭＣＳモジュール８２５を含む。ＵＥ１１５−ｃはまた、通信を送信するためのコンポーネントおよび通信を受信するためのコンポーネントを含む、双方向音声およびデータ通信のためのコンポーネントを含み得る。例えば、ＵＥ１１５−ｃは、ＵＥ１１５−ｄまたは基地局１０５−ｃと双方向に通信し得る。
【００８３】
[0090]  ＭＣＳモジュール８２５は、各トランスポートブロックに関するＭＣＳを決定するように構成され得る。いくつかの場合では、複数のトランスポートブロックの各々は、図２乃至４を参照して上述されたものと同じＭＣＳを使用する。いくつかの例では、複数のトランスポートブロックの各々は同じＭＣＡを使用する。
【００８４】
[0091]  ＵＥ１１５−ｃはまた、プロセッサ８０５、およびメモリ８１５（ソフトウェア（ＳＷ）８２０を含む）、トランシーバ・モジュール８３５、および１つまたは複数のアンテナ８４０を含み得、これらの各々は、（例えば、バス８４５を介して）間接的にまたは直接的に、互いに通信し得る。上述されたように、トランシーバ・モジュール８３５は、（１つまたは複数の）アンテナ８４０、または有線あるいは無線のリンクを介して、１つまたは複数のネットワークと双方向に通信し得る。例えば、トランシーバ・モジュール８３５は、基地局１０５または他のＵＥ１１５と双方向に通信し得る。トランシーバ・モジュール８３５は、パケットを変調し、変調されたパケットを送信のために（１つまたは複数の）アンテナ８４０に提供し、そして（１つまたは複数の）アンテナ８４０から受信されたパケットを復調するためのモデムを含み得る。ＵＥ１１５−ｃは、単一のアンテナ８４０を含み得る一方で、ＵＥ１１５−ｃはまた、複数のワイヤレス送信を同時並行で送信または受信することが可能である複数のアンテナ８４０を有し得る。
【００８５】
[0092]  メモリ８１５は、ランダム・アクセス・メモリ（ＲＡＭ）および読取専用メモリ（ＲＯＭ）を含み得る。メモリ８１５は、実行されると、プロセッサ８０５に、本書に説明されたさまざまな機能（例えば、マルチプルなトライステートＨＡＲＱプロセスなど）を実施させる命令を含む、コンピュータ可読、コンピュータ実行可能ソフトウェア／ファームウェア・コード８２０を記憶し得る。あるいは、ソフトウェア／ファームウェア・コード８２０は、プロセッサ８０５によって直接的に実行可能ではなく、（例えば、コンパイルおよび実行されると）、コンピュータに、本書に説明される機能を実施させ得る。プロセッサ８０５は、インテリジェント・ハードウェア・デバイス（例えば、中央処理ユニット（ＣＰＵ）、マイクロコントローラ、ＡＳＩＣなど）を含み得る。
【００８６】
[0093]  図９は、本開示のさまざまな態様にしたがってマルチプルなトライステートＨＡＲＱプロセスのために構成された基地局を含むシステム９００の図を示す。システム９００は、基地局１０５−ｅを含み得、それは、図１乃至８を参照して上述されたワイヤレス・デバイス５００、ワイヤレス・デバイス６００または基地局１０５の例であり得る。基地局１０５−ｄは、基地局トライステートＨＡＲＱプロセス・モジュール９１０を含み得、それは、図６乃至８を参照して説明された基地局トライステートＨＡＲＱプロセス・モジュール９１０の例であり得る。基地局１０５−ｄはまた、通信を送信するためのコンポーネントおよび通信を受信するためのコンポーネントを含む、双方向音声およびデータ通信のためのコンポーネントを含み得る。例えば、基地局１０５−ｄは、基地局１０５−ｅおよび基地局１０５−ｆまたはＵＥ１１５−ｅおよびＵＥ１１５−ｆと双方向に通信し得る。
【００８７】
[0094]  いくつかの場合では、基地局１０５−ｄは、１つまたは複数の有線バックホール・リンクを有し得る。基地局１０５−ｄは、コア・ネットワーク１３０への有線バックホール・リンク（例えば、Ｓ１インターフェースなど）を有し得る。基地局１０５−ｄはまた、基地局間バックホール・リンク（例えば、Ｘ２インターフェース）を介して、基地局１０５−ｅおよび基地局１０５−ｆのような、他の基地局１０５と通信し得る。基地局１０５の各々は、同じ、または異なるワイヤレス通信技術を使用してＵＥ１１５と通信し得る。いくつかの場合では、基地局１０５−ｄは、基地局通信モジュール９２５を使用して１０５−ｄまたは１０５−ｅのような他の基地局と通信し得る。いくつかの例では、基地局通信モジュール９２５は、いくつかの基地局１０５間の通信を提供するために、ＬＴＥ／ＬＴＥ−Ａワイヤレス通信ネットワーク技術内のＸ２インターフェースを提供し得る。いくつかの例では、基地局１０５−ｄは、コア・ネットワーク１３０を通じて他の基地局と通信し得る。追加的にまたは代替的に、基地局１０５−ｄは、ネットワーク通信モジュール９３０を通じてコア・ネットワーク１３０と通信し得る。
【００８８】
[0095]  基地局１０５−ｄは、プロセッサ９０５、（ソフトウェア（ＳＷ）９２０を含む）メモリ９１５、トランシーバ・モジュール９３５、および（１つまたは複数の）アンテナ９４０を含み得、それらは各々、（例えば、バス・システム９４５上で）互いに、直接的にまたは間接的に、通信状態にあり得る。トランシーバ・モジュール９３５は、ＵＥ１１５と、（１つまたは複数の）アンテナ９４０を介して、双方向で通信するように構成され得、それは、マルチモード・デバイスであり得る。トランシーバ・モジュール９３５（または基地局１０５−ｄの他のコンポーネント）はまた、１つまたは複数の他の基地局（図示せず）と、アンテナ９４０を介して、双方向で通信するように構成され得る。トランシーバ・モジュール９３５は、パケットを変調し、変調されたパケットを送信のためにアンテナ９４０に提供し、アンテナ９４０から受信されたパケットを復調するように、構成されたモデムを含み得る。基地局１０５−ｄは、各々１つまたは複数の関連するアンテナ９４０を備えた、複数のトランシーバ・モジュール９３５を含み得る。トランシーバ・モジュールは、図５の組み合わされた受信機５０５および送信機５１５の例であり得る。
【００８９】
[0096]  メモリ９１５は、ＲＡＭおよびＲＯＭを含み得る。メモリ９１５はまた、実行された場合、プロセッサ９０５に、本書に記載されたさまざまな機能（例えば、マルチプルなトライステートＨＡＲＱプロセス、カバレージ増進技術を選択すること、技術呼処理、データベース管理、メッセージ・ルーティングなど）を実施させるように構成された命令を含む、コンピュータ読取り可能な、コンピュータ実行可能なソフトウェア・コード９２０を記憶し得る。代わって、ソフトウェア９２０は、プロセッサ９０５によって直接的に実行可能ではないことがあり得るが、コンピュータに、（例えば、コンパイルされ、実行されるときに）本書で説明された機能を実施させるように構成され得る。プロセッサ９０５は、インテリジェント・ハードウェア・デバイス、例えば、ＣＰＵ、マイクロコントローラ、ＡＳＩＣなどを含み得る。プロセッサ９０５は、エンコーダ、キュー処理モジュール、ベース・バンド・プロセッサ、ラジオ・ヘッド・コントローラ、デジタル信号プロセッサ（ＤＳＰ）などのような、さまざまな特別用途のプロセッサを含み得る。
【００９０】
[0097]  基地局通信モジュール９２５は、他の基地局１０５との通信を管理し得る。通信管理モジュールは、他の基地局１０５と連携してＵＥ１１５との通信を制御するためのコントローラまたはスケジューラを含み得る。例えば、基地局通信モジュール９２５は、ビームフォーミングもしくはジョイント送信のようなさまざまな干渉緩和技術のために、ＵＥ１１５への送信のためのスケジューリングを調整し得る。
【００９１】
[0098]  図１０は、本開示のさまざまな態様にしたがってマルチプルなトライステートＨＡＲＱプロセスに関する方法１０００を例示するフローチャートを示す。方法１０００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１０００の動作は、図５乃至８を参照して説明されたように、トライステートＨＡＲＱプロセス・モジュール５１０によって実施され得る。いくつかの例では、デバイスは、デバイスの機能的要素を制御して以下に説明される機能を実施するためにコードのセットを実行し得る。追加的にまたは代替的に、デバイスは、専用ハードウェアを使用して以下に説明される機能の態様を実施し得る。
【００９２】
[0099]  ブロック１００５において、デバイスは、図２乃至４を参照して上述されたように、複数のＨＡＲＱプロセスの各々に関する状態を識別し得る。特定の例では、ブロック１００５の動作は、図６を参照して上述されたように、状態モジュール６０５によって実施され得る。
【００９３】
[0100]  ブロック１０１０において、デバイスは、図２乃至４を参照して上述されたように、複数のＨＡＲＱプロセスの各々に関する状態の指示を含む制御メッセージを送信し得る。特定の例では、ブロック１０１０の動作は、図６を参照して上述されたように、制御メッセージ・モジュール６１０によって実施され得る。
【００９４】
[0101]  ブロック１０１５において、デバイスは、図２乃至４を参照して上述されたように、制御メッセージに少なくとも部分的に基づいて複数のＨＡＲＱプロセスに対応する複数のトランスポートブロックを含むデータ信号を送信し得る。特定の例では、ブロック１０１５の動作は、図６を参照して上述されたように、データ・モジュール６１５によって実施され得る。
【００９５】
[0102]  図１１は、本開示のさまざまな態様にしたがってマルチプルなトライステートＨＡＲＱプロセスに関する方法１１００を例示するフローチャートを示す。方法１１００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１１００の動作は、図５乃至８を参照して説明されたように、トライステートＨＡＲＱプロセス・モジュール５１０によって実施され得る。いくつかの例では、デバイスは、以下に説明される機能を実施するようにデバイスの機能的要素を制御するためのコードのセットを実行し得る。追加的にまたは代替的に、デバイスは、専用ハードウェアを使用して以下に説明される機能の態様を実施し得る。方法１１００はまた、図１０の方法１０００の態様を組み込み得る。
【００９６】
[0103]  ブロック１１０５において、デバイスは、図２乃至４を参照して上述されたように、複数のＨＡＲＱプロセスの各々に関する状態を識別し得る。特定の例では、ブロック１１０５の動作は、図６を参照して上述されたように、状態モジュール６０５によって実施され得る。
【００９７】
[0104]  ブロック１１１０において、デバイスは、図２乃至４を参照して上述されたように、複数のＨＡＲＱプロセスの各々に関する状態の指示を含む制御メッセージを送信し得る。特定の例では、ブロック１１１０の動作は、図６を参照して上述されたように、制御メッセージ・モジュール６１０によって実施され得る。
【００９８】
[0105]  ブロック１１１５において、デバイスは、図２乃至４を参照して上述されたように、制御メッセージに少なくとも部分的に基づいて複数のＨＡＲＱプロセスに対応する複数のトランスポートブロックを含むデータ信号を送信し得る。特定の例では、ブロック１１１５の動作は、図６を参照して上述されたように、データ・モジュール６１５によって実施され得る。
【００９９】
[0106]  ブロック１１２０において、デバイスは、図２乃至４を参照して上述されたように、複数のトランスポートブロックのうちの１つのトランスポートブロックに関するＮＡＣＫを受信し得る。特定の例では、ブロック１１２０の動作は、図７を参照して上述されたように、ＡＣＫ／ＮＡＣＫモジュール７０５によって実施され得る。
【０１００】
[0107]  ブロック１１２５において、デバイスは、図２乃至４を参照して説明されたように、トランスポートブロックに対応する複数のＨＡＲＱプロセスのうちの１つのＨＡＲＱプロセスに関する再送信状態を識別し、再送信状態は、再送信指示および冗長バージョンを含み得る。ある特定の例では、ブロック１１２５の動作は、図７を参照して上述されたように、再送信状態モジュール７１０によって実施され得る。
【０１０１】
[0108]  図１２は、本開示のさまざまな態様にしたがってマルチプルなトライステートＨＡＲＱプロセスに関する方法１２００を例示するフローチャートを示す。方法１２００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１２００の動作は、図５乃至８を参照して説明されたように、トライステートＨＡＲＱプロセス・モジュール５１０によって実施され得る。いくつかの例では、デバイスは、以下に説明される機能を実施するようにデバイスの機能的要素を制御するためのコードのセットを実行し得る。追加的にまたは代替的に、デバイスは、専用ハードウェアを使用して以下に説明される機能の態様を実施し得る。方法１２００はまた、図１０乃至１１の方法１０００または１１００の態様を組み込み得る。
【０１０２】
[0109]  ブロック１２０５において、デバイスは、図２乃至４を参照して上述されたように、複数のＨＡＲＱプロセスの各々に関する状態を識別し得る。特定の例では、ブロック１２０５の動作は、図６を参照して上述されたように、状態モジュール６０５によって実施され得る。
【０１０３】
[0110]  ブロック１２１０において、デバイスは、図２乃至４を参照して上述されたように、複数のＨＡＲＱプロセスの各々に関する状態の指示を含む制御メッセージを送信し得る。特定の例では、ブロック１２１０の動作は、図６を参照して上述されたように、制御メッセージ・モジュール６１０によって実施され得る。
【０１０４】
[0111]  ブロック１２１５において、デバイスは、図２乃至４を参照して上述されたように、制御メッセージに少なくとも部分的に基づいて複数のＨＡＲＱプロセスに対応する複数のトランスポートブロックを含むデータ信号を送信し得る。特定の例では、ブロック１２１５の動作は、図６を参照して上述されたように、データ・モジュール６１５によって実施され得る。
【０１０５】
[0112]  ブロック１２２０において、デバイスは、図２乃至４を参照して上述されたように、複数のトランスポートブロックのうちの１つのトランスポートブロックに関するＮＡＣＫを受信し得る。特定の例では、ブロック１２２０の動作は、図７を参照して上述されたように、ＡＣＫ／ＮＡＣＫモジュール７０５によって実施され得る。
【０１０６】
[0113]  ブロック１２２５において、デバイスは、図２乃至４を参照して説明されたように、トランスポートブロックに対応する複数のＨＡＲＱプロセスのうちの１つのＨＡＲＱプロセスに関する再送信状態を識別し、再送信状態は、再送信指示および冗長バージョンを含み得る。特定の例では、ブロック１２２５の動作は、図７を参照して上述されたように、再送信状態モジュール７１０によって実施され得る。
【０１０７】
[0114]  ブロック１２３０において、デバイスは、図２乃至４を参照して上述されたように、再送信状態に少なくとも部分的に基づいて第２の制御メッセージを送信し得る。特定の例では、ブロック１２３０の動作は、図６を参照して上述されたように、制御メッセージ・モジュール６１０によって実施され得る。
【０１０８】
[0115]  ブロック１２３５において、デバイスは、図２乃至４を参照して上述されたように、第２の制御メッセージに少なくとも部分的に基づいて複数のＨＡＲＱプロセスに対応する第２の複数のトランスポートブロックを含む第２のデータ信号を送信し得る。特定の例では、ブロック１２３５の動作は、図６を参照して上述されたように、データ・モジュール６１５によって実施され得る。
【０１０９】
[0116]  図１３は、本開示のさまざまな態様にしたがってマルチプルなトライステートＨＡＲＱプロセスに関する方法１３００を例示するフローチャートを示す。方法１３００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１３００の動作は、図５乃至８を参照して説明されたように、トライステートＨＡＲＱプロセス・モジュール５１０によって実施され得る。いくつかの例では、デバイスは、以下に説明される機能を実施するようにデバイスの機能的要素を制御するためのコードのセットを実行し得る。追加的にまたは代替的に、デバイスは、専用ハードウェアを使用して以下に説明される機能の態様を実施し得る。
【０１１０】
[0117]  ブロック１３０５において、デバイスは、図２乃至４を参照して上述されたように、複数のＨＡＲＱプロセスの各々に関する状態の指示を含む制御メッセージを受信し得る。特定の例では、ブロック１３０５の動作は、図６を参照して上述されたように、制御メッセージ・モジュール６１０によって実施され得る。
【０１１１】
[0118]  ブロック１３１０において、デバイスは、図２乃至４を参照して上述されたように、制御メッセージに少なくとも部分的に基づいて複数のＨＡＲＱプロセスに対応する複数のトランスポートブロックを含むデータ信号を受信し得る。特定の例では、ブロック１３１０の動作は、図６を参照して上述されたように、データ・モジュール６１５によって実施され得る。
【０１１２】
[0119]  図１４は、本開示のさまざまな態様にしたがってマルチプルなトライステートＨＡＲＱプロセスに関する方法１４００を例示するフローチャートを示す。方法１４００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１４００の動作は、図５乃至８を参照して説明されたように、トライステートＨＡＲＱプロセス・モジュール５１０によって実施され得る。いくつかの例では、デバイスは、以下に説明される機能を実施するようにデバイスの機能的要素を制御するためのコードのセットを実行し得る。追加的にまたは代替的に、デバイスは、専用ハードウェアを使用して以下に説明される機能の態様を実施し得る。方法１４００はまた、図１３の方法１３００の態様を組み込み得る。
【０１１３】
[0120]  ブロック１４０５において、デバイスは、図２乃至４を参照して上述されたように、複数のＨＡＲＱプロセスの各々に関する状態の指示を含む制御メッセージを受信し得る。特定の例では、ブロック１４０５の動作は、図６を参照して上述されたように、制御メッセージ・モジュール６１０によって実施され得る。
【０１１４】
[0121]  ブロック１４１０において、デバイスは、図２乃至４を参照して上述されたように、制御メッセージに少なくとも部分的に基づいて複数のＨＡＲＱプロセスに対応する複数のトランスポートブロックを含むデータ信号を受信し得る。特定の例では、ブロック１４１０の動作は、図６を参照して上述されたように、データ・モジュール６１５によって実施され得る。
【０１１５】
[0122]  ブロック１４１５において、デバイスは、図２乃至４を参照して上述されたように、複数のトランスポートブロックのうちの１つのトランスポートブロックに関するＮＡＣＫを送信し得る。特定の例では、ブロック１４１５の動作は、図７を参照して上述されたように、ＡＣＫ／ＮＡＣＫモジュール７０５によって実施され得る。
【０１１６】
[0123]  図１５は、本開示のさまざまな態様にしたがってマルチプルなトライステートＨＡＲＱプロセスに関する方法１５００を例示するフローチャートを示す。方法１５００の動作は、図１乃至９を参照して説明されたように、ワイヤレス・デバイス、例えばＵＥ１１５または基地局１０５またはそれらのコンポーネントによってインプリメントされ得、それらは、ワイヤレス・デバイス５００またはワイヤレス・デバイス６００を含み得る。例えば、方法１５００の動作は、図５乃至８を参照して説明されたように、トライステートＨＡＲＱプロセス・モジュール５１０によって実施され得る。いくつかの例では、デバイスは、以下に説明される機能を実施するようにデバイスの機能的要素を制御するためのコードのセットを実行し得る。追加的にまたは代替的に、デバイスは、専用ハードウェアを使用して以下に説明される機能の態様を実施し得る。方法１５００はまた、図１３および１４の方法１３００または１４００の態様を組み込み得る。
【０１１７】
[0124]  ブロック１５０５において、デバイスは、図２乃至４を参照して上述されたように、複数のＨＡＲＱプロセスの各々に関する状態の指示を含む制御メッセージを受信し得る。特定の例では、ブロック１５０５の動作は、図６を参照して上述されたように、制御メッセージ・モジュール６１０によって実施され得る。
【０１１８】
[0125]  ブロック１５１０において、デバイスは、図２乃至４を参照して上述されたように、制御メッセージに少なくとも部分的に基づいて複数のＨＡＲＱプロセスに対応する複数のトランスポートブロックを含むデータ信号を受信し得る。特定の例では、ブロック１５１０の動作は、図６を参照して上述されたように、データ・モジュール６１５によって実施され得る。
【０１１９】
[0126]  ブロック１５１５において、デバイスは、図２乃至４を参照して上述されたように、複数のトランスポートブロックのうちの１つのトランスポートブロックに関するＮＡＣＫを送信し得る。特定の例では、ブロック１５１５の動作は、図７を参照して上述されたように、ＡＣＫ／ＮＡＣＫモジュール７０５によって実施され得る。
【０１２０】
[0127]  ブロック１５２０において、デバイスは、図２乃至４を参照して上述されたように、第２の制御メッセージを受信し得る。特定の例では、ブロック１５２０の動作は、図６を参照して上述されたように、制御メッセージ・モジュール６１０によって実施され得る。
【０１２１】
[0128]  ブロック１５２５において、デバイスは、図２乃至４を参照して上述されたように、第２の制御メッセージに少なくとも部分的に基づいてトランスポートブロックに対応する複数のＨＡＲＱプロセスのうちの１つのＨＡＲＱプロセスに関する再送信状態を識別し得、再送信状態は、再送信指示および冗長バージョンを含み得る。特定の例では、ブロック１５２５の動作は、図７を参照して上述されたように、再送信状態モジュール７１０によって実施され得る。
【０１２２】
[0129]  ブロック１５３０において、デバイスは、図２乃至４を参照して上述されたように、第２の制御メッセージに少なくとも部分的に基づいて複数のＨＡＲＱプロセスに対応する第２の複数のトランスポートブロックを含む第２のデータ信号を受信し得る。特定の例では、ブロック１５３０の動作は、図６を参照して上述されたように、データ・モジュール６１５によって実施され得る。
【０１２３】
[0130]  かくして、方法１０００、１１００、１２００、１３００、１４００、および１５００は、マルチプルなトライステートＨＡＲＱプロセスを提供し得る。方法１０００、１１００、１２００、１３００、１４００および１５００は、可能なインプリメンテーションを説明しており、動作およびステップは、他のインプリメンテーションが可能になるように、再配置され得る、またはそうでない場合は修正され得ることに留意されたい。いくつかの例では、方法１０００、１１００、１２００、１３００、１４００および１５００のうちの２つ以上からの態様が組み合され得る。
【０１２４】
[0131]  添付された図面に関連して上述された詳細な説明は、例証的な構成を説明しており、インプリメントされ得るまたは特許請求の範囲の範囲内にある全ての例を表してはいない。「実例的な」という用語は、本書で使用され得る場合、「好ましい」または「他の例よりも有利である」ということではなく、「例、事例、または例示としての役割をすること」を意味する。詳細な説明は、説明された技術の理解を提供する目的で具体的な詳細を含む。しかしながら、これらの技術は、これらの具体的な詳細なしに実現され得る。いくつかの事例では、周知の構造およびデバイスは、説明されている例のコンセプトを曖昧にすることを回避するためにブロック図の形態で図示されている。
【０１２５】
[0132]  情報および信号は、多様な異なる技術および技術のうちの任意のものを使用して示され得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１２６】
[0133]  本書での開示に関連して説明されたさまざまな例示的なブロックおよびモジュールは、汎用プロセッサ、ＤＳＰ、ＡＳＩＣ、ＦＰＧＡまたは他のプログラマブル論理デバイス、離散ゲートまたはトランジスタ論理、離散ハードウェア・コンポーネント、あるいは本書で説明された機能を実施するように設計されたそれらの任意の組み合わせを用いてインプリメントまたは実施され得る。汎用プロセッサは、マイクロプロセッサであり得るが、代替では、プロセッサは、任意の従来のプロセッサ、コントローラ、マイクロコントローラ、またはステート・マシンであり得る。プロセッサはまた、（例えば、ＤＳＰとマイクロプロセッサの組み合わせ、複数のマイクロプロセッサ、ＤＳＰコアに連結した１つまたは複数のマイクロプロセッサ、または他の任意のそのような構成といった、）コンピューティング・デバイスの組み合わせとしてインプリメントされ得る。
【０１２７】
[0134]  本書で説明された機能は、ハードウェア、プロセッサによって実行されるソフトウェア、ファームウェア、またはそれらの任意の組み合わせ中でインプリメントされ得る。プロセッサによって実行されるソフトウェアにインプリメントされる場合、これらの機能は、コンピュータ可読媒体上で、１つまたは複数の命令またはコードとして送信または記憶され得る。他の例およびインプリメンテーションは、本開示および添付の特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、さまざまな位置において物理的に配置され得、それは、機能の一部が異なる物理的な位置においてインプリメントされるように分配されることを含む。また、請求項を含む本書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような包括的なリスト（inclusive list）を示す。
【０１２８】
[0135]  当業者に知られているか、または後に知られることとなる、本開示全体を通じて説明されたさまざまな態様の要素と構造的および機能的に同等な物は全て、参照によって本書に明確に組み込まれ、特許請求の範囲によって包含されるように意図される。その上、本書のどの開示も、そのような開示が特許請求の範囲中に明示的に記載されているかどうかにかかわらず、公に献呈されるようには意図されていない。「モジュール」、「メカニズム」、「エレメント」、「デバイス」などの用語は、「手段」という用語の代用ではない可能性がある。このように、要素が「〜のための手段」というフレーズを使用して明確に記載されていない限り、どの請求項の要素もミーンズ・プラス・ファンクションとして解釈されるべきではない。
【０１２９】
[0136]  コンピュータ可読媒体は、１つの場所から別の場所へのコンピュータ・プログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクト・ディスク（ＣＤ）ＲＯＭまたは他の光ディスク記憶装置、磁気ディスク記憶装置または他の磁気記憶デバイス、あるいはデータ構造または命令の形態で所望のプログラム・コード手段を記憶または搬送するために使用されることができ、汎用または特殊用途コンピュータ、もしくは汎用または特殊用途プロセッサによってアクセスされることができる任意の他の非一時的な媒体を備えることができる。また、任意の接続は、厳密にはコンピュータ可読媒体と呼ばれる。例えば、ソフトウェアが、同軸ケーブル、光ファイバ・ケーブル、ツイスト・ペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバ・ケーブル、ツイスト・ペア、ＤＳＬ、または赤外線、無線、およびマイクロ波のようなワイヤレス技術は、媒体の定義中に含まれる。ディスク（disk）およびディスク（disc）は、本書で使用される場合、ＣＤ（disc）、レーザー・ディスク（disc）、光ディスク（disc）、デジタル多用途ディスク（ＤＶＤ）（disc）、フロッピー（登録商標）ディスク（disk）およびブルーレイ・ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１３０】
[0137]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲であると認められるべきである。
【０１３１】
[0138]  本書で説明された技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、および他のシステムのような、さまざまなワイヤレス通信システムに対して使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、ＩＳ−８５６規格をカバーする。ＩＳ−２０００リリース０およびＡは一般的に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケット・データ（ＨＲＰＤ）などと呼ばれる。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバル・システム（ＧＳＭ（登録商標））のような無線技術をインプリメントし得る。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、のような無線技術をインプリメントし得る。ＵＴＲＡおよびＥ-ＵＴＲＡは、ユニバーサル・モバイル電気通信システム（ＵＭＴＳ）の一部である。３ＧＰＰロング・ターム・エボリューション（ＬＴＥ）およびＬＴＥ−アドバンスト（ＬＴＥ−Ａ）は、Ｅ−ＵＴＲＡを使用するユニバーサル・モバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバル・システム（ＧＳＭ）は、「第３世代パートナーシップ・プロジェクト」（３ＧＰＰ）という名称の団体からの文書中に説明されている。ＣＤＭＡ２０００およびＵＭＢは、「第３世代パートナーシップ・プロジェクト２」（３ＧＰＰ２）という名称の団体からの文書中に説明されている。本書で説明された技術は、上述されたシステムおよび無線技術ならびに他のシステムおよび無線技術に対して使用され得る。上記の説明は、しかしながら、実例を目的としてＬＴＥシステムを説明しており、ＬＴＥの専門用語が上記の説明の大部分中で使用されているが、本技術は、ＬＴＥアプリケーションを超えて適用可能である。
【図１】
2018510549.tif 000003
【図２】
2018510549.tif 000004
【図３】
2018510549.tif 000005
【図４】
2018510549.tif 000006
【図５】
2018510549.tif 000007
【図６】
2018510549.tif 000008
【図７】
2018510549.tif 000009
【図８】
2018510549.tif 000010
【図９】
2018510549.tif 000011
【図１０】
2018510549.tif 000012
【図１１】
2018510549.tif 000013
【図１２】
2018510549.tif 000014
【図１３】
2018510549.tif 000015
【図１４】
2018510549.tif 000016
【図１５】
2018510549.tif 000017
【国際調査報告】
2018510549.tif 000018
2018510549.tif 000019
2018510549.tif 000020
2018510549.tif 000021